(57)【特許請求の範囲】
【請求項１】
電子デバイスであって、当該電子デバイスは、省電力モードまたはアクティブ・モードで動作させられることができ、当該電子デバイスは：
当該電子デバイスが省電力モードにあるときに電源オフされるよう構成された第一のプロセッサと；
当該電子デバイスが省電力モードにあるときに、前記第一のプロセッサのローカル・バスに関連する周辺ハードウェアを制御するよう構成された第二のプロセッサとを有しており、前記周辺ハードウェアは、表示ユニット、入力ユニット、ブルートゥース・ユニットおよび感知ユニットのうちの少なくとも一つを含み、
当該電子デバイスが省電力モードにはいった後、当該電子デバイスが電力アダプターを使用して充電されるとき、当該電子デバイスは再始動動作を実行してアクティブ・モードにはいるように構成されており、当該電子デバイスが電力アダプターを使用して充電されており、アクティブ・モードにあるときは、当該電子デバイスはさらに、ユーザーが省電力モードに対応するオプションを選択することを禁止するように構成されており、当該電子デバイスがアクティブ・モードのもとで電力アダプターを使って充電されるとき、省電力モードのボタンが禁止状態またはグレー状態にあり、
前記省電力モードでは、前記第二のプロセッサは、動きセンサーからの情報を前記第二のプロセッサによって制御される記憶領域に記憶して、当該電子デバイスがアクティブ・モードにあるときに前記第一のプロセッサが前記情報を取得できるようにする、
電子デバイス。
【請求項２】
前記第一のプロセッサは：当該電子デバイスがアクティブ・モードにあるときに、モバイル・インダストリー・プロセッサ・インターフェース（MIPI）を使用することによって、前記第一のプロセッサの前記ローカル・バスに関連する前記表示ユニットを制御するよう構成される、請求項１記載の電子デバイス。
【請求項３】
前記第二のプロセッサは：当該電子デバイスが省電力モードにあるときに、シリアル周辺インターフェース（SPI）を使用することによって、前記第一のプロセッサの前記ローカル・バスに関連する前記表示ユニットを制御するよう構成される、請求項１または２記載の電子デバイス。
【請求項４】
当該電子デバイスが省電力モードにはいった後、当該電子デバイスが電力アダプターを使用して充電されるとき、前記第一のプロセッサが電源オンにされる、請求項１ないし３のうちいずれか一項記載の電子デバイス。
【請求項５】
前記第二のプロセッサは：当該電子デバイスが省電力モードにあるとき、当該電子デバイスのユーザーの手首を上げるアクションが検出されたら、当該電子デバイスの前記表示ユニットのバックライトを有効にするよう制御するよう構成される、請求項１ないし４のうちいずれか一項記載の電子デバイス。
【請求項６】
前記第二のプロセッサは、次の場合：当該電子デバイスのバッテリー電気量がバッテリー電気量閾値に達する；当該電子デバイスの温度が指定された温度閾値に達する；および、当該電子デバイスが、省電力モードを有効にするためにユーザーによって入力された設定命令を受領する、のうちの一つにおいて、前記第一のプロセッサの前記ローカル・バスに関連する前記周辺ハードウェアを制御するよう構成される、請求項１ないし５のうちいずれか一項記載の電子デバイス。
【請求項７】
当該電子デバイスは、当該電子デバイスがアクティブ・モードにあるとき、省電力モードに対応するオプションに対するタッチ入力に応答して省電力モードにはいるようにさらに構成されている、請求項１ないし６のうちいずれか一項記載の電子デバイス。
【請求項８】
当該電子デバイスがアクティブ・モードにあるとき、当該電子デバイスは、WLANボタンへのタップ・オプションに応答して無線ローカルエリアネットワーク（WLAN）構成インターフェースを表示することに対応するオプションに対するタッチ入力に応答して省電力モードにはいるように構成されている、請求項１ないし７のうちいずれか一項記載の電子デバイス。
【請求項９】
当該電子デバイスが省電力モードにあるとき、当該電子デバイスは、ユーザーの再始動入力に応答して前記再始動動作を実行し、アクティブ・モードにはいるようにさらに構成されている、請求項１ないし８のうちいずれか一項記載の電子デバイス。
【請求項１０】
電子デバイスの電力消費を低減する方法であって、前記電子デバイスは省電力モードまたはアクティブ・モードで動作させられることができ、前記電子デバイスは第一のプロセッサおよび第二のプロセッサを有し、当該方法は：
前記電子デバイスをアクティブ・モードで動作させ；
前記電子デバイスがアクティブ・モードにあるとき、第一の事前設定イベントの生起が検出されることに応答して前記電子デバイスのモードをアクティブ・モードから省電力モードに切り換えることを含み、前記電子デバイスは省電力モードにあるとき、前記第一のプロセッサが電源オフされ、前記第二のプロセッサが前記第一のプロセッサのローカル・バスに関連する周辺ハードウェアを制御し、前記周辺ハードウェアは、表示ユニット、入力ユニット、ブルートゥース・ユニットおよび感知ユニットのうちの少なくとも一つを含み、
当該方法がさらに：
当該電子デバイスが省電力モードにはいった後、当該電子デバイスが電力アダプターを使用して充電されるとき、再始動動作を実行してアクティブ・モードにはいることと；
当該電子デバイスが電力アダプターを使用して充電されており、アクティブ・モードにあるときは、ユーザーが省電力モードに対応するオプションを選択することを禁止することとを含み、当該電子デバイスがアクティブ・モードのもとで電力アダプターを使って充電されるとき、省電力モードのボタンが禁止状態またはグレー状態にあり、
前記省電力モードでは、前記第二のプロセッサは、動きセンサーからの情報を前記第二のプロセッサによって制御される記憶領域に記憶して、当該電子デバイスがアクティブ・モードにあるときに前記第一のプロセッサが前記情報を取得できるようにする、
方法。
【請求項１１】
当該方法が、前記電子デバイスが省電力モードで動作させられているとき、前記電子デバイスのユーザーの手首を上げるアクションが検出されると、前記電子デバイスの前記表示ユニットのバックライトを有効にすることをさらに含む、請求項１０記載の方法。
【請求項１２】
当該方法が、前記電子デバイスがアクティブ・モードで動作させられており、前記電子デバイスがユーザーに取り付けられていて、前記電子デバイスが無線電力送信器を使って充電されることが判別されるとき、前記電子デバイスが省電力モードにはいることを禁止することをさらに含む、請求項１０または１１記載の方法。
【請求項１３】
当該方法は：
前記電子デバイスがアクティブ・モードにあるとき、省電力モードに対応するオプションに対するタッチ入力に応答して省電力モードにはいることをさらに含む、
請求項１０ないし１２のうちいずれか一項記載の方法。
【請求項１４】
前記第一の事前設定イベントは：前記電子デバイスのバッテリー電気量がバッテリー電気量閾値に達すること；前記電子デバイスの温度が指定された温度閾値に達すること；および前記電子デバイスが、ユーザーによって入力された、省電力モードを有効にする設定命令を受け取ること、のうちの少なくとも一つを含む、
請求項１０ないし１３のうちいずれか一項記載の方法。
【請求項１５】
当該方法はさらに、前記電子デバイスがアクティブ・モードにあるとき、WLANボタンへのタップ・オプションに応答して無線ローカルエリアネットワーク（WLAN）構成インターフェースを表示することに対応するオプションに対するタッチ入力に応答して省電力モードにはいることを含む、請求項１０ないし１４のうちいずれか一項記載の方法。
【請求項１６】
当該方法はさらに、前記電子デバイスが省電力モードにあるとき、ユーザーの再始動入力に応答して前記再始動動作を実行し、アクティブ・モードにはいることを含む、請求項１０ないし１５のうちいずれか一項記載の方法。
【発明の詳細な説明】
【技術分野】
【０００１】
本願の実施形態は、通信技術の分野に関し、より具体的には、電子デバイスの電力消費を低減するための技術に関する。
【背景技術】
【０００２】
ウェアラブル・デバイスが出現するにつれて、スマートウォッチはウェアラブル電子デバイスの重要な一員となった。時刻を示すことができることに加えて、既存のスマートウォッチは、通知リマインダー、ナビゲーション機能、動き記録および健康モニタリングといった機能を有する。
【０００３】
現在のスマートウォッチの重要な設計上の限界は、持続力である。デバイスの電気の消費やバッテリー能力の限界のため、スマートウォッチの大半は、毎日または一日おきに充電する必要がある。その結果、多くの事例が発生する。このような場合、バッテリーの電力量が消耗レベルに達すると、ユーザーは、計時、通知リマインダーの受信、ナビゲーション、動き記録および健康モニタリングといった基本的な機能をもはや使用できなくなる。これは、ユーザーに多大な不便をもたらす。
【０００４】
結論として、現在、ユーザーの経験を保証しながら、スマート電子デバイスの電力消費を精密に低減させるための解決策が緊急に必要とされている。
【発明の概要】
【０００５】
本明細書は、電子デバイスの持続力を向上させるために、電子デバイスおよび装置の電力消費を低減する方法を記載する。
【０００６】
第一の側面によれば、本願のある実施形態は、電子デバイスを提供する。電子デバイスは、省電力モードまたはアクティブ・モードで動作させられることができ、電子デバイスは、第一のプロセッサおよび第二のプロセッサを含む。第一のプロセッサは、電子デバイスが省電力モードにあるときに電源オフされるよう構成される。第二のプロセッサは、電子デバイスが省電力モードにあるときに、第一のプロセッサのローカル・バスに関連する周辺ハードウェアを制御するよう構成される。周辺ハードウェアは、表示ユニット、入力ユニット、ブルートゥース・ユニットおよび感知ユニットのうちの少なくとも一つを含む。
【０００７】
電子デバイスの第一のプロセッサ（中央処理装置（CPU）またはアプリケーション・プロセッサ（AP）など）は、オペレーティングシステム（たとえばスマートウォッチのオペレーティングシステム）およびさまざまなアプリケーション・プログラムを実行することを受け持つ。電子デバイスの第二のプロセッサ（たとえば、低電力プロセッサ、低電力マイクロプロセッサ（MPU）またはMCU）は、電子デバイスの感知ユニット（感知ユニットは、歩行イベントまたはよろめきイベントなどの動きイベントを記録することを受け持つ）を制御することを受け持つ。通常、電子デバイスにはバッテリーを使って電力が供給され、バッテリーの電力量は限られている。しかしながら、オペレーティングシステムを実行し、バックグラウンドでアプリケーション・プログラムを実行することは、電子デバイスの電気を消費する。
【０００８】
電子デバイスは、省電力モードにおいては、第一のプロセッサの電力伝送を切断し、第二のプロセッサ（低電力プロセッサ、低電力マイクロプロセッサ（MPU）またはMCUなど）をコントローラとして使用することにより、何らかの必要な周辺ハードウェア（表示画面、入力ユニット（電源ボタンなど）、ブルートゥース・ユニットおよび感知ユニットなど）を制御し、それにより、アプリケーション・プロセッサの電力消費を効果的に低減することができ、電子デバイスの持続時間を増すことができる。また、電子デバイスの基本的な機能が確保される。たとえば、時間および歩数情報が省電力モードにおいて表示されてもよく、別のデバイス（携帯電話など）とのブルートゥース通信もブルートゥース・ユニットを使って維持されることができ、再始動や電源オフなどの操作が入力ユニット（電源ボタンなど）を使って実行されてもよく、省電力モードにおいて手首を上げることによってスクリーンを点灯させてもよい。
【０００９】
ある可能な設計では、第一のプロセッサは：電子デバイスがアクティブ・モードにあるときに、モバイル・インダストリー・プロセッサ・インターフェース（MIPI）を使用することによって、第一のプロセッサのローカル・バスに関連付けられた表示ユニットを制御するよう構成される。
【００１０】
ある可能な設計では、第二のプロセッサは：電子デバイスが省電力モードにあるときに、シリアル周辺インターフェース（SPI）を使用することによって、第一のプロセッサのローカル・バスに関連付けられた表示ユニットを制御するよう構成される。
【００１１】
電子デバイスがアクティブ・モードで動作するときは、表示される必要のあるコンテンツのデータ量は比較的大きい。画面に表示されるコンテンツが変わると、画面上でスムーズなアニメーションを表示するために、電子デバイス上で一連のリフレッシュ・アクションが実行される必要がある。表示されるデータは、アクティブ・モードでは、モバイル・インダストリー・プロセッサ・インターフェース（MIPI）を使用することにより、高速に送信されることができる。
【００１２】
電子デバイスが省電力モードで動作するときは、表示される必要のあるコンテンツは比較的少なく、表示される必要があるのは、通常、仮想的な時計面、時間、および歩数情報のみである。シリアル周辺インターフェース（SPI）を使用することで表示要件を満たすことができ、それにより、システム消費が低減される。
【００１３】
ある可能な設計では、第一のプロセッサは：電子デバイスが省電力モードにあり、かつ電力アダプターを使用して充電されるとき、第一のプロセッサは、電源オンにされ、電子デバイスをアクティブ・モードに切り換える、よう構成される。
【００１４】
ある可能な設計では、第二のプロセッサは：電子デバイスが省電力モードにあるとき、電子デバイスのユーザーの手首を上げるアクションが検出されたら、電子デバイスの表示ユニットのバックライトを有効にするよう制御するよう構成される。
【００１５】
電子デバイスが省電力モードにあるとき、第二のプロセッサは、表示ユニットおよび感知ユニット（これはユーザーの動きおよび健康データを感知するよう構成されている）を制御する。よって、省電力モードにある電子デバイスは、いまだ、手首を上げることによってスクリーンを点灯させることをサポートでき、それによりユーザーの体験が改善される。
【００１６】
ある可能な設計では、第二のプロセッサは、次の場合のうちの一つにおいて、第一のプロセッサのローカル・バスに関連する周辺ハードウェアを制御するよう構成される：電子デバイスのバッテリー電気量がバッテリー電気量閾値に達する；電子デバイスの温度が指定された温度閾値に達する；および、電子デバイスが、省電力モードを有効にするためにユーザーによって入力された設定命令を受領する。
【００１７】
ある可能な設計では、第一のプロセッサは：電子デバイスが電力アダプターを使って充電されるとき、第一のプロセッサが省電力モードにはいることを禁止するよう構成される。
【００１８】
電子デバイスが電力アダプターを使って充電されるとき、表示ユニットによって表示される「省電力モード」ボタンは禁止状態にある。具体的には、「省電力モード」に対応するアイコン・ボタンはグレー状態になっていて、そのため、ユーザーは「省電力モード」オプションを選択することを禁止される。
【００１９】
電子デバイスが外部源を使って充電されるとき、電子デバイスは省電力モードにはいることを禁止され、アクティブ・モードにある電子デバイスは、（ブルートゥースを使って他の電子デバイス（携帯電話など）からの通知メッセージを受信する機能や通話機能などの）さまざまな機能を実行し、それにより、充電中にユーザーが比較的重要な着信コールや通知メッセージを逃すことを防ぐ。
【００２０】
別の可能な設計では、第一のプロセッサは：電子デバイスが電力アダプターを使って充電されるとき、ユーザーが省電力モードを有効にするための設定命令（物理的なボタンを3秒間押す、または省電力モードのアイコン・ボタンをタップする）を受信した場合、現在省電力モードにはいることができないことをユーザーに知らせるプロンプト・ボックスを表示するよう表示ユニットを制御するよう構成される。
【００２１】
第二の側面によれば、本願のある実施形態は、電子デバイスの電力消費を低減する方法を提供する。電子デバイスは、第一のプロセッサ（中央処理装置（CPU）またはアプリケーション・プロセッサ（AP）など）および第二のプロセッサ（低電力プロセッサ、低電力マイクロプロセッサ（MPU）またはMCUなど）を含む。電子デバイスは省電力モードまたはアクティブ・モードで動作させられることができる。本方法は：電子デバイスをアクティブ・モードで動作させ；電子デバイスがアクティブ・モードにあるとき、第一の事前設定イベントの生起が検出されることに応答して電子デバイスのモードをアクティブ・モードから省電力モードに切り換え、電子デバイスが省電力モードにある場合は第一のプロセッサは電源オフされ、第二のプロセッサが第一のプロセッサのローカル・バスに関連する周辺ハードウェアを制御し、前記周辺ハードウェアは、表示ユニット、入力ユニット、ブルートゥース・ユニットおよび感知ユニットのうちの少なくとも一つを含む。
【００２２】
ある可能な設計では、電子デバイスが省電力モードで動作させられているとき、電子デバイスのユーザーの手首を上げるアクションが検出された場合に、表示ユニットのバックライトが有効にされる。
【００２３】
電子デバイスが省電力モードにあるとき、表示ユニットおよび感知ユニットは第二のプロセッサによって制御される。感知ユニットは、動きセンサーによって生成される動きデータに基づいて、ユーザーが手首を上げるアクションを実行するかどうかをモニタリングする。ユーザーが手首を上げるアクションを実行する場合、感知ユニットは手首を上げるアクションを第二のプロセッサに報告し、第二のプロセッサが表示ユニットのバックライトを有効にするよう制御する。このようにして、省電力モードにある電子デバイスは、手首を上げることによってスクリーンを点灯させることをもサポートでき、それによりユーザーは便利に時刻および健康データ（歩数情報など）を確認する。
【００２４】
ある可能な設計では、電子デバイスがアクティブ・モードで動作させられるとき、電子デバイスがユーザーに取り付けられていて、電子デバイスが無線電力送信器を使って充電されるなら、電子デバイスは省電力モードにはいることを禁止される。
【００２５】
ユーザーが無線充電方式で電子デバイスを充電するとき、ユーザーは、電子デバイスを取り外す必要なく充電を完了することができる（換言すれば、電子デバイスはユーザーの身につけられたままである）。この場合、電子デバイスは、省電力モードにはいることを禁止され、それにより、ユーザーが充電中に比較的重要な着信コールおよび通知メッセージを逃すことを防止する。
【００２６】
別の可能な設計では、電子デバイスがアクティブ・モードで動作させられるとき、電子デバイスがユーザーに取り付けられていて、電子デバイスが無線電力送信器を使って充電され、ユーザーが省電力モードを有効にするための設定命令（物理的なボタンを3秒間押すか、省電力モードのアイコン・ボタンをタップする）が受領されるなら、現在省電力モードにはいることができないことをユーザーに知らせるためのプロンプト・ボックスがポップアップする。
【００２７】
さらに別の可能な設計では、電子デバイスがアクティブ・モードで動作させられるとき、電子デバイスが電力アダプターを使って充電される（たとえば、電子デバイスが有線式に充電器に接続されることによって充電される、または無線充電方式で充電される）とき、電子デバイスは、省電力モードにはいることを禁止されてもよい。あるいはまた、ユーザーが省電力モードを有効にするための設定命令が受領されるとき、現在省電力モードにはいることができないことをユーザーに知らせるためにプロンプト・ボックスがポップアップする。
【００２８】
ある可能な設計では、電子デバイスが省電力モードにはいった後、電子デバイスが電力アダプターを使って充電されると、電子デバイスが再始動させられる。
【００２９】
電力アダプターを使って電子デバイスが充電されるとき、電子デバイスは再始動され、省電力モードからアクティブ・モードに切り換えられ、それにより、充電中にユーザーが比較的重要な着信コールおよび通知メッセージを逃すことを防ぐ。
【００３０】
ある可能な設計では、第一の事前設定イベントは：電子デバイスのバッテリー電気量がバッテリー電気量閾値に達する；電子デバイスの温度が指定された温度閾値に達する；および電子デバイスがユーザーによって入力された、省電力モードを有効にする設定命令を受け取る、のうちの少なくとも一つを含む。
【００３１】
第三の側面によれば、本願の実施形態は、電子デバイスの電力消費を低減するための別の方法を提供する。本方法は：電子デバイスをアクティブ・モードで動作させ；電子デバイスがアクティブ・モードにあるときに、第一の事前設定イベントの生起が検出されることに応答して電子デバイスを省電力モードに切り換えることを含む。
【００３２】
ある可能な設計では、電子デバイスが省電力モードにあるとき、ユーザーの手首を上げる動作が検出されると、表示ユニットのバックライトが有効にされる。
【００３３】
ある可能な設計では、電子デバイスが省電力モードにあるとき、電子デバイスが電力アダプターを使って充電されるなら、電子デバイスが再始動させられる。
【００３４】
ある可能な設計では、電子デバイスが省電力モードにあるとき、ユーザーが表示ユニットを有効にする命令（たとえば、電源ボタンを使って画面を点灯させる）が検出され、表示ユニットを使って、時間および／または歩数情報が表示される。
【００３５】
ある可能な設計では、電子デバイスがアクティブ・モードであると判定され、電子デバイスがユーザーに取り付けられており、電子デバイスが無線電力送信器を使って充電されるとき、電子デバイスは、省電力モードにはいることを禁止される。
【００３６】
ある可能な設計では、第一の事前設定イベントは：電子デバイスのバッテリー電気量がバッテリー電気量閾値に達する；電子デバイスの温度が指定された温度閾値に達する；および電子デバイスが省電力モードを有効にするためにユーザーによって入力された設定命令を受け取る、のうちの少なくとも一つを含む。
【００３７】
第四の側面によれば、本発明のある実施形態は、別の電子デバイスを提供し、該電子デバイスは、第三の側面および第三の側面の可能な諸設計を実装する機能を有する。この機能は、ハードウェアを使って実装されてもよいし、対応するソフトウェアを実行することによってハードウェアによって実装されてもよい。前記ハードウェアまたはソフトウェアは、上記の機能に対応する一つまたは複数のモジュールを含む。モジュールは、ソフトウェアおよび／またはハードウェアであってもよい。
【００３８】
従来技術と比較して、本願で提供される解決策は、電子デバイスの持続力を改善することができる。
【図面の簡単な説明】
【００３９】
本願の実施形態における技術的解決策をより明確に説明するために、以下では、実施形態または先行技術を説明するために必要な添付の図面を簡単に説明する。明らかに、以下の説明の添付の図面は単に本願のいくつかの実施形態を示すものであり、当業者は、創造的努力なしにこれら添付の図面から他の図面を導出することができる。
【００４０】
【図１】本願のある実施形態による電子デバイスの概略図である。
【００４１】
【図２】本願の別の実施形態による携帯型電子デバイスの概略図である。
【００４２】
【図３】本願のある実施形態による電子デバイスの構成のブロック図である。
【００４３】
【図４】本願のある実施形態による、電子デバイスについて省電力モードを有効にすることのフローチャートである。
【００４４】
【図５】本願のある実施形態による、電子デバイスを無線で充電することの概略図である。
【００４５】
【図６】本願の別の実施形態による、電子デバイスを無線で充電することの概略図である。
【００４６】
【図７】本願のある実施形態による、電子デバイスが充電状態において省電力モードにはいるインターフェースの概略図である。
【００４７】
【図８】本願のある実施形態による、電力消費を低減するよう構成された電子デバイスの第一のプロセッサの動作フローチャートである。
【００４８】
【図９】本願のある実施形態による、省電力モードにはいった後、充電される電子デバイスの第一のプロセッサの動作フローチャートである。
【００４９】
【図１０】本願のある実施形態による、電力消費を低減するよう構成された電子デバイスの第二のプロセッサの動作フローチャートである。
【発明を実施するための形態】
【００５０】
下記は、本願の実施形態における技術的解決策を、本願の実施形態における添付の図面を参照して、明確かつ完全に記載する。明らかに、記載された実施形態は、本願の実施形態の一部であって全部ではない。創造的努力なしに、本願の実施形態に基づいて当業者によって得られる他のすべての実施形態は、本願の保護範囲内にはいる。
【００５１】
本願の記述において、「第一」、「第二」、「第三」等の用語は、単に記述の目的のために使用されており、主要／副次関係を表わすものとして理解することはできず、よって、本願に対する限定として理解することはできない。
【００５２】
本明細書に記載される電子デバイスは、携帯電話、スマートフォン、ラップトップコンピュータ、デジタル放送端末、パーソナル・デジタル・アシスタント（PDA）、ポータブル・マルチメディア・プレーヤー（PMP）、GPSナビゲーション・システム、およびウェアラブル・デバイス（スマートウォッチまたはスマートバンドなど）を含みうる。しかしながら、当業者には、携帯端末やウェアラブル・デバイスに加えて、本願の実施形態による構成が、デジタルテレビやデスクトップコンピュータなどの固定端末に適用されてもよいことは明らかである。
【００５３】
図１は、本願のある実施形態による電子デバイス１００の概略図である。たとえば、電子デバイス１００はウェアラブル・スマートウォッチである。電子デバイス１００は本体１０２を含み、本体１０２は、デバイス１００の回路、固定した構造およびディスプレイの全部または一部を含む。たとえば、本体１０２は、処理コンポーネント、データ記憶コンポーネント、メモリ、センサー、およびデバイス１００のケーブル・レイアウトまたは通信コンポーネントの全部または一部を含んでいてもよい。ある具体的実施形態では、デバイス１００はディスプレイを含んでいてもよい。ディスプレイは、円形のような任意の適切な形または形状を用いうる。たとえば、ディスプレイは、図１に示される円形ディスプレイ１０４である。本明細書において、「円形ディスプレイ」は、ほぼ円形のディスプレイまたは円のような形のディスプレイ、たとえば楕円形のディスプレイを含む。任意的に、ディスプレイ１０４は、接触感応性ディスプレイ・スクリーン、すなわち、タッチスクリーンである。任意的に、ディスプレイ１０４は、タッチ強度を検出するよう構成された一つまたは複数のタッチ強度センサーを含んでいてもよい。タッチ強度センサーは、任意的に、一つまたは複数の圧電抵抗ひずみゲージ、容量性の力センサー、光学式の力センサーまたは他の強度センサーを含む。電子デバイス１００は、異なるタッチ強度（たとえば、タッチ力、タッチ圧、またはそれらの代替）について異なる視覚的フィードバックを生成することができる。
【００５４】
ある具体的実施形態では、電子デバイス１００は、入力要素１０６（押しボタンまたは回転ボタンなど）を含んでいてもよい。ある具体的実施形態では、電子デバイス１００は、ディスプレイを取り囲む要素１０８を含んでいてもよい。本明細書で使用されるところでは、ディスプレイを取り囲む要素１０８は、ディスプレイの本体を取り囲む回転可能な要素を含む。一例では、要素１０８は、円形ディスプレイ１０４を取り囲む外側リング１０８であってもよい。ある具体的実施形態では、ディスプレイを取り囲む要素１０８は、ディスプレイ１０４または本体に対して動いてもよい。たとえば、外側リング１０８は、デバイス１００の本体に対して時計方向または反時計方向に回転してもよい。ある具体的実施形態では、デバイス１００は、本体１０２に取り付けられた時計バンド１１０を含んでいてもよい。
【００５５】
図２は、本願の別の実施形態による携帯型電子デバイス２００の概略図である。
【００５６】
図２を参照するに、電子デバイス２００は、接触感応性ディスプレイ・スクリーン２０１、指紋センサー２０２、カメラ２０３およびラウドスピーカー２０４を含む。
【００５７】
指紋センサー２０２は、通例、電子デバイス２００上のホームボタン（home  button）の上方、下方、または横に配置される。いくつかの実施形態では、指紋センサー２０２は、電子デバイス２００の本体の側面に配置されてもよく、または電子デバイス２００の本体の背面に配置されてもよい。これは、本願のこの実施形態において限定されない。
【００５８】
カメラ２０３は、レンズ・システム、駆動ユニット、およびイメージセンサーを含み、さらにフラッシュメモリなどを含んでいてもよい。カメラ２０３は、レンズ・システムを使って入力された（または捕捉された）光信号を電気的な画像信号またはデータに変換し、その信号またはデータを出力する。ユーザーは、カメラ１６を使用して、動画または静止画を捕捉してもよい。換言すれば、カメラ２０３は、物体の光学的な像を形成し、形成された光学的な像を電気信号として検出する。
【００５９】
任意的に、電子デバイス２００はさらに、マイクロフォン（図示せず）およびメモリ（図示せず）を含む。マイクロフォンは、声または音の入力を受け取り、電気信号を生成するよう構成される。メモリは、ソフトウェア・プログラムおよび／または命令セットを記憶するよう構成される。
【００６０】
タッチ感応性ディスプレイ・スクリーン２０１は、時に「タッチスクリーン」と称され、タッチ感応性ディスプレイ・システムとみなされるか称されることがある。タッチスクリーンは、画像を表示し、指またはスタイラスのようなユーザー入力装置がタッチスクリーンの表面に接触したときにキー・タッチ割り込みを生成するよう構成される。
【００６１】
図３は、本願のある実施形態による電子デバイス３００の構成のブロック図である。電子デバイス３００は、図１のウェアラブル電子デバイス（スマートウォッチ）であってもよいし、図２のポータブル電子デバイス（スマートフォン）であってもよい。
【００６２】
図３に示されるように、電子デバイス３００は、表示ユニット３１０、入力ユニット３２０、無線通信ユニット３３０、ブルートゥース・ユニット３４０、感知ユニット３５０、記憶ユニット３６０、第一のプロセッサ（一次プロセッサとも称される）３７０、第二のプロセッサ（二次プロセッサとも称される）３８０、および全地球測位システム（GPS）ユニット３９０を含む。
【００６３】
電子デバイス３００は、場合によっては電力を節約するために、さまざまな電力管理モード（アクティブ・モードおよび省電力モードなど）で動作することができる。電子デバイス３００がスマートウォッチである場合、電子デバイス３００の省電力モードは、リストバンド・モードとも称されてもよい。たとえば、電子デバイス３００は、ユーザーによって入力されたいくつかの命令を電子デバイス３００が受領するときに、アクティブ・モードから省電力モードに切り換えられるよう構成されてもよい。電子デバイスが省電力モードに切り換えられると、デバイスは、少なくともいくつかのコンポーネント（第一のプロセッサ３７０、無線通信ユニット３３０、およびGPSユニット３９０など）を無効にすることができる。いくつかの実施形態では、電子デバイス３００が省電力モードで動作するとき、感知ユニット３５０（動きセンサーなど）は、少なくともいくつかのコンポーネントを有効にしておいてもよい。このようにして、デバイスは、依然として、いくつかのユーザー動きイベントを検出することができる。いくつかの実施形態では、電子デバイス３００が省電力モードで動作するとき、動作し続けるユニットは、表示ユニット３１０、入力ユニット３２０、ブルートゥース・ユニット３４０、および感知ユニット３５０のうちの少なくとも一つを含む。たとえば、省電力モードにおいて、感知ユニット３５０は、ユーザーの歩行動きイベントを連続的に検出するための歩数計として使用されてもよい。ユーザーはまた、表示ユニット３１０を使用することによって、現在の時間および現在の歩数情報を知ることができる。
【００６４】
第一のプロセッサ３７０は、さまざまなソフトウェア・プログラム（アプリケーション・プログラムおよびオペレーティングシステムなど）を実行し、電子デバイス３００のために使用される計算および処理動作を提供することを受け持ってもよい。第一のプロセッサ３７０は、中央処理装置（CPU）またはアプリケーション・プロセッサ（AP）であってもよい。第一のプロセッサ３７０が省電力モードにはいることを要求された場合、第一のプロセッサ３７０は、第二のプロセッサ３８０にモード切り換えイベント（つまり、アクティブ・モードから省電力モードへの切り換えを実行するイベント）を通知し、次いで、省電力モードにはいる。ある実装では、第一のプロセッサ３７０は、電子デバイスが省電力モードにあるときは電源が切られる。
【００６５】
第二のプロセッサ３８０は、主に、感知ユニット３５０のデータを検出することを受け持つ。第二のプロセッサ３８０は、低電力プロセッサ、低電力マイクロプロセッサ（MPU）またはMCUのいずれかを含む。第二のプロセッサ３８０は、適切なソフトウェアまたはハードウェア要素とソフトウェア要素の組み合わせを実行する。第二のプロセッサ３８０は、電子デバイスが省電力モードにあるとき、第一のプロセッサ３７０のローカル・バスに関連する周辺ハードウェア（ブルートゥース・ユニット３４０、入力ユニット３２０、および表示ユニット３１０など）を制御するよう構成される。
【００６６】
表示ユニット３１０は、グラフ、画像、またはデータをユーザーに対して表示するよう構成される。表示ユニット３１０は、電子デバイス３００の動作に関連するさまざまな画面を提供するよう構成される。表示ユニット３１０は、ホーム画面、メッセージ書き込み画面、電話コール画面、ゲーム画面、音楽再生画面、およびビデオ再生画面を提供する。表示ユニット３１０は、フラットディスプレイパネル（たとえば、液晶ディスプレイ（LCD）、有機発光ダイオード（OLED）、およびアクティブマトリックスOLED（AMOLED）など）を使って実装されてもよい。
【００６７】
表示ユニット３１０は、第一のプロセッサ３７０および第二のプロセッサ３８０に接続される。第一のプロセッサ３７０および表示ユニット３１０は、RGBインターフェース、MDDI（モバイル・ディスプレイ・デジタル・インターフェース）、およびMIPI（モバイル・インダストリー・プロセッサ・インターフェース）などのインターフェースを使って、互いと通信するよう構成されてもよい。第二のプロセッサ３８０および表示ユニット３１０は、SPI（シリアル周辺インターフェース）またはI2C（インター・インテグレーテッド・サーキット）のような（ただしこれらに限定されない）インターフェースを使って、互いと通信するよう構成されてもよい。第一のプロセッサ３７０および表示ユニット３１０は、MIPI、MDDIまたはRGBを使って接続され、それにより、大容量データに関する表示ユニット３１０についての第一のプロセッサ３７０の要件を満たすことができる。第二のプロセッサ３８０および表示ユニット３１０は、SPIまたはI2Cインターフェースを使って接続され、それにより、この解決策は、比較的少量の表示データをもつ省電力モード・シナリオに好適である。
【００６８】
電子デバイス３００がアクティブ・モードにある場合は、第一のプロセッサ３７０が表示ユニット３１０と直接通信し、それにより、第一のプロセッサ３７０が表示ユニット３１０を制御する。そうではなく電子デバイス３００が省電力モードにある場合は、第二のプロセッサ３８０が表示ユニット３１０と直接通信し、それにより、第二のプロセッサ３８０が表示ユニット３１０を制御する。
【００６９】
表示ユニット３１０がタッチスクリーンの形で実装されるときは、表示ユニット３１０は、動作するための入力装置のはたらきをしてもよい。表示ユニット３１０がタッチスクリーンの形で実装されるとき、表示ユニット３１０は、タッチ・ジェスチャーを検出するよう構成されたタッチパネルを含む。タッチパネルは、表示ユニット３１０の特定の位置に加えられる圧力、または表示ユニット３１０の特定の領域における静電容量の変化を、電気入力信号に変換するよう構成される。タッチパネルは、アドオン（add-on）方式またはオンセル（on-cell）（またはインセル（in-cell））方式のいずれかで実装されうる。
【００７０】
タッチパネルは、抵抗性タッチパネル、容量性タッチパネル、電磁誘導タッチパネルおよび圧力型タッチパネルのうちの一つとして実装されてもよい。タッチパネルは、タッチ圧力、タッチされた位置、およびタッチされたエリアを検出するよう構成されている。タッチパネル上でタッチ・ジェスチャーがなされると、対応する入力信号が第一のプロセッサ３７０に対して生成される。次いで、第一のプロセッサ３７０は、ユーザーのタッチ入力情報をチェックし、対応する機能を実行する。
【００７１】
入力ユニット３２０は、電子デバイス３００への入力に関連するモジュールを含む。入力ユニット３２０は、電子デバイス３００の機能の構成および制御に関連するユーザー入力を受領し、対応する入力信号を第一のプロセッサ３７０に対して生成する。入力ユニット３２０は、タッチパネル、タッチスクリーン、共通キーボード、QWERTYキーボード、および特殊機能ボタン（電源ボタンまたはボリューム・ボタンなど）のうちの少なくとも一つを使って実装されてもよい。
【００７２】
入力ユニット３２０は、第一のプロセッサ３７０および第二のプロセッサ３８０に接続される。電子デバイス３００がアクティブ・モードにある場合は、第一のプロセッサ３７０が入力ユニット３２０と直接通信する。そうではなく電子デバイス３００が省電力モードにある場合は、第二のプロセッサ３８０が入力ユニット３２０と直接通信する。入力ユニット３２０が、特殊機能ボタン（電源ボタンなど）を使って実装されるとき、電子デバイス３００が省電力モードにある場合でも、ユーザーは、電源ボタンを押すことによって画面を点灯させることができる。ユーザーは、電源ボタンが押される持続時間または電源ボタンが押される回数に基づいて、異なる操作を実行することができる。たとえば、ユーザーは、電源ボタンを最大3秒までの持続時間にわたって押すことによって、電源オフ操作を実行することができ、ユーザーは、電源ボタンを最大10秒までの持続時間にわたって押すことによって再始動操作を実行することができる。
【００７３】
無線通信ユニット３３０は、電子デバイスの通信機能を受け持つ。無線通信ユニット３３０は、音声通話、ビデオ会議、およびデータ通信を実装するために、サポート可能な移動通信ネットワークを用いて通信チャネルを確立する。無線通信ユニット３３０は、無線周波（RF）送信器およびRF受信器を含む。RF送信器は、送信される信号に対してアップコンバージョンおよび増幅を実行するよう構成される。RF受信器は、受信された信号に対して低雑音増幅およびダウンコンバージョンを実行するよう構成される。無線通信ユニット３３０は、セルラー通信モジュール（第三世代（3G）セルラー通信モジュールおよび／または第四世代セルラー通信モジュールなど）およびデジタル放送モジュールを含む。
【００７４】
全地球測位システム（GPS）ユニット３９０。GPSユニット３９０は、GPS衛星から衛星GPS信号を受信し、該GPS信号を第一のプロセッサ３７０に転送する。第一のプロセッサ３７０は、衛星GPS信号に基づいて電子デバイスの現在位置を計算するよう構成される。
【００７５】
感知ユニット３５０は、第二のプロセッサ３８０に接続され、電子デバイス３００の位置情報の変化または周囲環境の変化を検出し、感知された情報を第二のプロセッサ３８０に送信する。具体的には、感知ユニット３５０は、回転、回転運動、角度変位、傾斜、または他の任意の非線形な動きを検出するよう構成されたジャイロセンサー、一つまたは複数の方向の加速度を感知するよう構成された三軸加速度センサー、圧力高度を測定するよう構成された気圧計、周囲光を感知するよう構成された周囲光センサー、およびジェスチャーを感知するよう構成された赤外（IR）センサーおよび近接センサーのうちの少なくとも一つを含む。感知ユニット３５０は、第二のプロセッサ３８０の制御のもとで動作を実行する。
【００７６】
電子デバイス３００は、感知ユニット３５０内の動きセンサー（ジャイロセンサーまたは加速度センサーなど）によって生成された動きセンサー・データを受領して、動きセンサー・データの特定の動きイベント（歩行イベントまたはよろめきイベントなど）を生成することができる。電子デバイス３００は、動き感知アプリケーションを使用することによって、該生成された動きセンサー・データを処理することができる。たとえば、動き感知アプリケーションを実行するプロセッサは、特定の型の動きイベントを区別するよう、動きセンサー・データを解析することができる。
【００７７】
任意的に、感知ユニット３５０は、第一のプロセッサ３７０および第二のプロセッサ３８０に別々に接続されてもよい。この場合、第一のプロセッサ３７０がアクティブ・モードにある場合、第一のプロセッサ３７０が感知ユニット３５０に直接接続され、第一のプロセッサ３７０が感知された情報を処理する。そうではなく第一のプロセッサ３７０が省電力モードにある場合には、第二のプロセッサ３８０が感知ユニット３５０に直接接続され、第二のプロセッサ３８０が感知された情報を処理する。
【００７８】
第一のプロセッサ３７０および第二のプロセッサ３８０は、一つまたは複数のユニバーサルシリアルバス（USB）インターフェース、マイクロUSBインターフェース、ユニバーサル非同期受信器／送信器（UART）インターフェース、および汎用入出力（GPIO）インターフェースなどの（だがこれらに限定されない）インターフェースを使用することによって、互いと通信するよう構成されてもよい。
【００７９】
電子デバイス３００はさらに別のプロセッサを含んでいてもよく、さらに、第一のプロセッサ３７０および第二のプロセッサ３８０が、単一のチップ上で、デュアルコア・チップ、マルチコア・チップなどにおいて配置されるように実装されてもよい。具体的には、第一のプロセッサ３７０および第二のプロセッサ３８０は、同じ集積回路チップ内に配置されるか、またはそれぞれ異なる集積回路チップ内に配置されてもよい。
【００８０】
記憶ユニット３６０は、電子デバイス３００内で実行および処理されるさまざまなデータと、電子デバイスのオペレーティングシステム（OS）およびさまざまなアプリケーションとを記憶するよう構成されている。記憶ユニット３６０は、RAM、ROM、フラッシュメモリ、揮発性メモリ、EPROM、EEPROMのうち少なくとも一つを使って実装される。本発明はこれに限定されない。記憶ユニット３６０は、データ領域およびプログラム領域を含む。記憶ユニット３６０のデータ領域は、電子デバイス３００内で生成されたデータおよび外部からダウンロードされたデータを記憶する。
【００８１】
記憶ユニット３６０のプログラム領域は、第一のプロセッサ３７０の制御のもとで、オペレーティングシステム（OS）のブート、ナビゲーション機能、ビデオおよびオーディオの再生機能、ならびに電子デバイスの画像表示機能のために必要とされるアプリケーション・プログラムを記憶する。プログラム領域はさらに、放送および再生機能、オーディオ記録機能、計算器機能、カレンダー機能などによって必要とされるアプリケーション・プログラムを記憶するよう構成される。記述目的のために、記憶ユニット３６０は、第一のプロセッサ３７０から分離されているように示され、第一のプロセッサ３７０の外側に位置されている。しかしながら、さまざまな実施形態において、記憶ユニット３６０の一部または全部が第一のプロセッサ３７０と同じ集積回路上に統合されてもよい。
【００８２】
記憶ユニット３６０の記憶領域はさらに、第二のプロセッサ３８０によって制御される追加的な記憶領域を含む。第一のプロセッサ３７０が省電力モードにある場合でも、第二のプロセッサ３８０によって制御される追加的な記憶領域へのアクセスは許される。第二のプロセッサ３８０によって制御される追加的な記憶領域は、第二のプロセッサ３８０と同じ集積回路上に統合されてもよい。しかしながら、本発明は、これに限定されるものではない。
【００８３】
ブルートゥース・ユニット３４０は、他のブルートゥース通信装置（タブレットコンピュータまたはスマートフォンなど）との短距離通信を実行することを受け持つ。ブルートゥース・ユニット３４０は、一つまたは複数の有線および／または無線プロトコルを使ってデータを伝送（たとえば送信および／または受信）するように構成された任意のハードウェアおよび／またはソフトウェア要素でありうる。ブルートゥース・ユニット３４０は、主にブルートゥース・プロトコルを使ってデータを伝送する。
【００８４】
ブルートゥース・ユニット３４０は、第一のプロセッサ３７０および第二のプロセッサ３８０に接続される。電子デバイス３００がアクティブ・モードにある場合、第一のプロセッサ３７０がブルートゥース・ユニット３４０と直接通信し、それにより、第一のプロセッサ３７０がブルートゥース・ユニット３４０を制御する。そうではなく電子デバイス３００が省電力モードにある場合は、第二のプロセッサ３８０がブルートゥース・ユニット３４０と直接通信し、よって第二のプロセッサ３８０がブルートゥース・ユニット３４０を制御する。
【００８５】
図４は、本願のある実施形態による電子デバイスについての省電力モードを有効にすることのフローチャートである。図４の方法は、図３に示される電子デバイス３００に適用されてもよい。
【００８６】
電子デバイス３００が初めて電源投入された後または再始動させられた後、電子デバイス３００は、アクティブ・モードで動作を開始することができる。たとえば、ステップ４０２において、電子デバイス３００は、アクティブ・モードで動作してもよい。いくつかの実施形態では、電子デバイス３００がアクティブ・モードで動作するとき、電源は、電子デバイス３００のコンポーネントの一部または全部に電力を供給する。たとえば、図３において、バッテリーが、電力管理チップおよび対応する電力線を使用することによって、表示ユニット３１０、入力ユニット３２０、無線通信ユニット３３０、ブルートゥース・ユニット３４０、感知ユニット３５０、記憶ユニット３６０、第一のプロセッサ３７０、第二のプロセッサ３８０、および全地球測位システム（GPS）ユニット３９０に電力を供給するときに、電子デバイス３００はアクティブ・モードで動作することができる。
【００８７】
電子デバイス３００がアクティブ・モードで動作するとき、第一のプロセッサ３７０は、記憶ユニット３６０から第一のプロセッサ３７０にロードされたアプリケーションなどの一つまたは複数のアプリケーションを実行することができる。上述のように、第一のプロセッサ３７０は、オペレーティングシステム、インスタントメッセージ・アプリケーション、メディア再生アプリケーション、メディア編集アプリケーション、または他の任意のアプリケーションを実行するように構成されることができる。
【００８８】
何らかの時点において、電子デバイス３００は、アクティブ・モードから省電力モードに切り換えられてもよい。ステップ４０４において、電子デバイス３００が第一の事前設定イベントを検出すると、電子デバイス３００は、アクティブ・モードから省電力モードに切り換わり（ステップ４０６）、その後、電子デバイス３００は、省電力モードで動作する（ステップ４０８）。第一の事前設定イベントは、電子デバイス３００に電力を供給するバッテリーにおける電気の量がバッテリー電気量閾値に達すること；電子デバイス３００の温度が指定された温度閾値に達すること；および電子デバイス３００が、省電力モードを有効にするためにユーザーによって入力された設定命令を受け取ることのうちの少なくとも一つを含む。
【００８９】
いくつかの実施形態では、省電力モードにおいて、電子デバイス３００は、第一のプロセッサ３７０への電力供給を停止するか、または第一のプロセッサ３７０の少なくとも一部のコアを無効にしてもよい。たとえば、第一のプロセッサ３７０は複数のコアを有し、第一のプロセッサ３７０のためにシングルコア・モードが設定されてもよい。
【００９０】
たとえば、電子デバイス３００は、バッテリーにおける残りの電気量が所定の値（たとえば、バッテリー容量全体の8%）未満であるかどうかを判定する。バッテリーにおける残りの電気量が所定の値未満であるときは、電子デバイス３００は、アクティブ・モードから省電力モードに切り換えられる。しかしながら、これは単に一例である。
【００９１】
ある実装において、バッテリーにおける残りの電気量が第一の閾値（たとえば、バッテリー容量全体の8%）未満であるとき、電子デバイスは、ポップアップ・メニューを生成し、ユーザーにいくつかのメニュー・オプションのうちの一つについて選択コマンドを入力するよう促す。「省電力モードにはいる」というオプションを選択することにより、電子デバイス３００をアクティブ・モードから省電力モードに切り換えることができる。「拒否」のメニュー・オプションを選択することにより、電子デバイス３００はアクティブ・モードを継続することができる。
【００９２】
別の実装では、バッテリーにおける残りの電気量が第二の閾値（たとえば、バッテリー容量全体の2%）未満であるとき、電子デバイス３００が省電力モードにはいっていなければ（たとえば、バッテリーにおける残りの電気量が第一の閾値未満であるときにユーザーが「拒否」のメニュー・オプションを選択し、電子デバイス３００が引き続きアクティブ・モードにあり続けた）、電子デバイス３００は、アクティブ・モードから省電力モードに切り換えられる。このようにして、電子デバイスは、ユーザーの確認なしに、省電力モードにはいることができる。
【００９３】
いくつかの実施形態では、電子デバイス３００は、省電力モードを有効にするためにユーザーによって入力された設定命令を受け取った後、省電力モードに移行する。たとえば、ユーザーが「省電力モード」を有効にするために使用される対応するアイコンに直接タッチすると、電子デバイス３００は、省電力モードを有効にするためにユーザーによって入力された設定命令を受け取り、電子デバイス３００をアクティブ・モードから省電力モードに切り換える。
【００９４】
何らかの時点において、電子デバイス３００は、省電力モードからアクティブ・モードに切り換えられてもよい。ステップ４１０において、電子デバイス３００が第二の事前設定イベントを検出する場合、電子デバイス３００は、省電力モードからアクティブ・モードに切り換えられる（ステップ４１２）。第二の事前設定イベントは、電子デバイス３００が電力アダプターを使って充電されていることが検出される；電子デバイス３００が、省電力モードを終了するためにユーザーによって入力された設定命令を受け取る、のうちの少なくとも一つを含む。電子デバイス３００は、入力ポート（マイクロUSBポートまたはタイプCポートなど）で電力入力が検出されるときにアクティブ・モードに切り換えられてもよく、または、無線充電方式で電力入力が感知されるときにアクティブ・モードに切り換えられてもよい。
【００９５】
省電力モードを終了するためにユーザーによって入力された設定命令は、対応するアイコンをタップすることによってトリガーされてもよく、あるいはボタン操作を使ってトリガーされてもよい。たとえば、電子デバイス３００は最初に省電力モードにあり、ユーザーが、ある時間期間にわたって電源ボタンを押すことによって再始動動作を実行し、電子デバイス３００がアクティブ・モードにはいる。
【００９６】
いくつかの実施形態において、電子デバイス３００のバッテリーが永久電源（たとえば、電力アダプター）を使って充電されるとき、電子デバイス３００は、省電力モードにはいることを禁止される。電力アダプターは、壁プラグ、車内充電器、または他の電源からAC電力を受け取り、バッテリーを充電するために使用される直流電力を提供することができる。たとえば、電力アダプターを使って電子デバイス３００のバッテリーが充電されるとき、電子デバイスのGUI表示が修正され、たとえば、「省電力モード」に対応するアイコン・ボタンがグレー表示にされて、「省電力モード」オプションの選択が禁止される。別の例として、電力アダプターを使って電子デバイス３００のバッテリーが充電されるとき、省電力モードを有効にするためにユーザーによって入力された設定命令が受領されたら、その設定命令は破棄され、アクティブ・モードから省電力モードへの切り換えを実行する動作は実行されない。
【００９７】
いくつかの実施形態では、電子デバイス３００のバッテリーは、無線充電方式で無線充電されてもよい。無線充電技術は、コイルを使う電磁誘導解決策、共振を使う共振解決策、電気エネルギーをマイクロ波に変換することによって電気エネルギーが伝達される高周波（RF）／マイクロ波放射解決策に大別されうる。無線電力送信器と無線電力受信器との間の距離は、電磁誘導解決策では比較的小さい（たとえば10センチメートル以下）。しかしながら、共振解決策またはマイクロ波放射解決策を使用するときは、無線電力送信器と無線電力受信器との間の距離は、数十メートルにもなることもある。たとえば、誘導電気エネルギーを受信する能力を有する電子デバイスは、誘導電気エネルギーを発生する送信器の近くに置かれてもよい。これらのシステムでは、送信器における送信コイルが時間変化する磁束を生成することができ、それにより、電子デバイス内の受信コイルに電流を誘導することができる。受信電流は、バッテリーの充電を補足するために電子デバイスによって使用されてもよい。
【００９８】
図５に示されるように、誘導電気エネルギー受信器は、電子デバイス３００の下面に配置され、誘導電気エネルギー送信器５０２のインターフェース表面５０４と整列されてもよく、または別の仕方でインターフェース表面５０４と接触してもよい。このようにして、誘導電気エネルギー受信器および誘導電気エネルギー送信器５０４は、互いに接触してもよい。電子デバイス３００は、本体に取り付けられた時計バンド５０６を含んでいてもよい。
【００９９】
任意的に、誘導電気エネルギー送信器装置および受信器装置は、一つまたは複数の整列機構を使って互いに対向して配置されてもよい。一例では、一つまたは複数の磁気デバイスが送信器装置および／または受信器装置に含まれてもよく、送信器装置および受信器装置を互いに対向して整列させるように構成されてもよい。
【０１００】
図６を参照するに、無線電力送信器６０１は、無線電力受信器（すなわち、電子デバイス３００）に、共鳴解決策またはマイクロ波放射解決策を使って、電磁波の形で無線電力源を供給する。さらに、無線電力送信器６０１は、無線電力源を複数の無線電力受信器に送信してもよい。
【０１０１】
電子デバイス３００は、無線電力送信器６０１から無線電力を受信し、電子デバイス３００に組み込まれたバッテリーを充電する。電子デバイス３００は、無線電力送信器６０１に、無線電力の転送要求に使用される信号、無線電力の受信に必要な情報、および電子デバイス３００の状態情報のうちの少なくとも一つを送信する。無線電力送信器６０１は、無線電力送信器６０１の充電エリアに配置された電子デバイス３００（具体的には、電子デバイス３００は、無線電力送信器６０１の充電エリアまで、ある有効距離内に位置される）に対して充電動作を実行する。
【０１０２】
図６において、電子デバイス３００はユーザーの身体（たとえば手首）に装着され、電子デバイス３００は無線電力送信器６０１の充電エリアに位置され、電子デバイス３００は無線電力送信器６０１から無線電力を受信し、電子デバイス３００に組み込まれたバッテリーを充電する。この場合、ユーザーは、電子デバイス３００を取り外す必要なく充電を完了することができる。電子デバイス３００がユーザーの身体に装着され、無線電力送信器を使って電子デバイス３００が充電されるとき、電子デバイス３００は省電力モードにはいることを禁止される。電子デバイスがユーザーの身体に装着され、無線充電方式で充電されるとき、ユーザーは通例、電子デバイスのさまざまな機能（たとえば、ブルートゥースを使って他の電子デバイス（たとえば携帯電話）からの通知メッセージを受信する機能および通話機能）を使用する必要がある。この場合、電子デバイスは、省電力モードにはいることを禁止され、それにより、ユーザーが、充電中に比較的重要な着信および通知メッセージを逃すことを防止する。
【０１０３】
ある実装では、図７に示されるように、電子デバイス３００はアクティブ・モードで動作する。図５の誘導電気エネルギー送信器５０２を使って電子デバイス３００のバッテリーが充電されるとき、表示ユニットによって表示される「省電力モード」ボタン７０２が禁止状態にあり、具体的には、「省電力モード」に対応するアイコン・ボタン７０２がグレー状態になっており、よってユーザーは「省電力モード」オプションを選択することを禁止される。表示ユニットによって表示される「WLAN」ボタン７０４は、有効化された状態にあり、ユーザーは、「WLAN」ボタン７０４をタップして、無線ローカルエリアネットワーク構成インターフェースにはいることができる。
【０１０４】
別の実施形態では、図７に示されるように、電子デバイス３００は、アクティブ・モードで動作させられる。電子デバイス３００がユーザーに取り付けられていることおよび電子デバイス３００が図６の無線電力送信器６０１を使って充電されていることが判別されるときは、電子デバイス３００の表示ユニットによって表示される「省電力モード」ボタン７０２は禁止状態であり、具体的には、「省電力モード」に対応するアイコン・ボタン７０２はグレー状態であり、よって、ユーザーは「省電力モード」オプションを選択することを禁止され、したがって、電子デバイス３００は省電力モードにはいることを禁止される。
【０１０５】
外部源を使ってバッテリーが充電されるときは、電子デバイス３００は省電力モードにはいることを禁止され、アクティブ・モードの電子デバイス３００は、さまざまな機能を実行でき（たとえば、ブルートゥースを使って他の電子デバイス（携帯電話など）からの通知メッセージを受信する機能および通話機能）、それにより、充電中にユーザーが比較的重要な着信や通知メッセージを逃すことを防止することができる。
【０１０６】
電子デバイス３００が省電力モードにはいった後、電子デバイス３００の第二のプロセッサ３８０は、感知ユニット３５０内の動きセンサーによって生成された動きセンサー・データを受け取って、動きセンサー・データの特定の動き情報（たとえば歩数情報）を生成し、該歩数情報を、記憶ユニット３６０内にあり、第二のプロセッサ３８０によって制御される追加的な記憶領域に記憶することができる。電子デバイス３００が省電力モードにはいった後、電子デバイス３００が再始動させられた場合（たとえば、ある時間期間にわたって電源ボタンを押すことにより再始動操作が実行される、または、電力アダプターを使って電子デバイス３００のバッテリーが充電されるときに再始動操作が実行される）、電子デバイス３００の第一のプロセッサ３７０は、第二のプロセッサ３８０から、省電力モードにおける電子デバイス３００の歩数情報を取得する。
【０１０７】
電子デバイス３００が省電力モードにはいった後、感知ユニット３５０の動きセンサーは、動きデータを生成し、ユーザーが手首を上げる動作を実行するかどうかを検出する。ユーザーの手首を上げる動作が検出されるとき、第二のプロセッサ３８０は、電子デバイスの表示ユニットの点灯を制御する（電子デバイスの表示ユニットのバックライトを有効にする）。
【０１０８】
電子デバイス３００のバッテリーが電力アダプターを使って充電される場合、電子デバイス３００が再始動させられ、省電力モードからアクティブ・モードに切り換えられる。電子デバイス３００が再始動させられた後、電子デバイス３００はアクティブ・モードにはいる。アクティブ・モードの電子デバイス３００は、さまざまな機能（たとえば、ブルートゥースを使用することにより他の電子デバイス（たとえば携帯電話）から通知メッセージを受信する機能および通話機能など）を実行することができ、それにより、充電中にユーザーが比較的重要な着信および通知メッセージを逃すことを防ぐ。
【０１０９】
第一のプロセッサ３７０は、以下の動作を実行する。図８を参照するに、ステップ８０２において、第一のプロセッサはアクティブ・モードで動作する。電子デバイスがアクティブ・モードにあるとき、第一のプロセッサ３７０は、第一のプロセッサのローカル・バスに関連する周辺ハードウェア（ブルートゥース・ユニット３４０、入力ユニット３２０、および表示ユニット３１０など）を制御する。具体的には、アクティブ・モードにおける第一のプロセッサ３７０は、ブルートゥース・ユニット３４０と通信して、ブルートゥース通信データを処理すること；入力ユニット３２０を使用することによって、電子デバイス３００の電源投入動作、電源オフ動作、スクリーン点灯動作、および再始動動作を制御すること；およびモバイル・インダストリー・プロセッサ・インターフェース（MIPI）を使用することによって、表示ユニット３１０を制御すること、のうちの少なくとも一つを実行するよう構成される。たとえば、アクティブ・モードの電子デバイス３００は、ブルートゥース・ユニット３４０を使用することによって、他の電子装置（たとえば携帯電話またはタブレットコンピュータ）によって送信された電話呼またはメッセージのようなイベントを受信し、ユーザーに該イベントを受信するように指示する通知サービスを提供することができる。アクティブ・モードの電子デバイス３００は、無線通信ユニット３３０を使ってローカルエリアネットワーク通信、音声、データ通信、および携帯電話通信をサポートし、全地球測位システム（GPS）・ユニットを使って電子デバイス３００の地理的位置情報を得ることができる。
【０１１０】
ステップ８０４において、第一のプロセッサ３７０が第一の事前設定イベントを検出する場合、電子デバイス３００は、アクティブ・モードから省電力モードに切り換えられる。第一の事前設定イベントは、電子デバイス３００に電力を供給するバッテリーにおける電気量がバッテリー電気量閾値に達すること；電子デバイス３００の温度が指定された温度閾値に達すること；および電子デバイス３００が、省電力モードを有効にするためにユーザーによって入力された設定命令を受信することのうちの少なくとも一つを含む。
【０１１１】
第一の事前設定イベントが検出される場合、ステップ８０６において、第一のプロセッサ３７０は、第二のプロセッサ３８０に、電子デバイス３００が省電力モードにはいろうとしていることを通知する。具体的には、第一のプロセッサ３７０は、UARTインターフェースまたはSPIインターフェースを使って、第二のプロセッサ３８０に対し、電子デバイス３００が省電力モードにはいろうとしていることを通知することができる。電子デバイス３００が省電力モードにはいろうとしているとの通知を受け取った後、第二のプロセッサ３８０は何らかの準備を実行し、たとえば、第一のプロセッサ３７０を入力ユニット３２０（電力ボタンなど）から切り離し、入力ユニット３２０を制御するために第一のプロセッサ３７０に取って代わる。
【０１１２】
ステップ８０８において、第一のプロセッサ３７０が、第二のプロセッサ３８０の準備ができていることを検出した場合、第一のプロセッサ３７０は、ステップ８１０において電源をオフにされる。第一のプロセッサ３７０は省電力モードで動作させられ、電子デバイス３００によって消費される電力は、省電力モードにおいて最小化される。第一のプロセッサ３７０が電源をオフにされた後、電子デバイス３００のいくつかの必要な機能（歩数カウント機能およびクロック機能など）を維持するために、第一のプロセッサ３７０のローカル・バスに付随する周辺ハードウェアは、第二のプロセッサ３８０を使って制御されてもよい。省電力モードにおける第二のプロセッサ３８０は、ブルートゥース・ユニット３４０と通信してブルートゥース通信データを処理すること；入力ユニット３２０を使って電源投入動作、電源オフ動作、スクリーン点灯動作、および電子デバイス３００の再始動動作を制御すること；およびシリアル周辺インターフェース（SPI）を使って表示ユニット３１０を制御すること、のうちの少なくとも一つを実行するよう構成される。たとえば、アクティブ・モードの電子デバイス３００は、ブルートゥース・ユニット３４０を使用することによって、他の電子装置（たとえば携帯電話またはタブレットコンピュータ）によって送信された電話呼またはメッセージのようなイベントを受信し、ユーザーにイベントを受信するように指示する通知サービスを提供することができる。省電力モードの電子デバイス３００は、無線通信ユニット３３０を使って、ローカルエリアネットワーク通信、音声、データ通信、および携帯電話通信をサポートすることができず、また、全地球測位システム（GPS）ユニットを使って電子デバイス３００の地理的位置情報を得ることもできない。第一のプロセッサ３７０が電源を切られた後、第二のプロセッサ３８０は、第一のプロセッサ３７０が電源を切られていることを検出し、第二のプロセッサ３８０は、表示ユニット３１０およびブルートゥース・ユニット３４０を初期化する。
【０１１３】
ステップ８１２では、第一のプロセッサ３７０の電源がオンにされると、電子デバイス３００は再始動動作を実行し、第一のプロセッサ３７０はアクティブ・モードに切り換えられ（ステップ８１４）、電子デバイス３００もアクティブ・モードにはいる。
【０１１４】
具体的には、図９を参照するに、ステップ９０２において、電子デバイス３００が電力アダプターを使って充電されるとき、第一のプロセッサ３７０の電源がオンにされる。
【０１１５】
ステップ９０４では、第一のプロセッサ３７０は、電源オン・イベントを第二のプロセッサ３８０に報告する。次いで、第二のプロセッサ３８０は、記憶ユニット３６０内にあり、第二のプロセッサ３８０によって制御される追加的な記憶領域に動きデータ（歩数情報など）を記憶し、第二のプロセッサ３８０は、表示ユニット３１０を無効にする。この場合、第二のプロセッサは準備ができている。
【０１１６】
ステップ９０６では、第一のプロセッサ３７０は、第二のプロセッサ３８０の準備ができていることを検出し、第一のプロセッサ３７０は、第二のプロセッサ３８０をリセットする（ステップ９０８）。具体的には、第一のプロセッサ３７０は、構成ピン上の電圧がプルアップまたはプルダウンされることを検出することによって、第一のプロセッサが準備ができているかどうかを決定することができる。たとえば、第二のプロセッサ３８０の準備が整った後、第二のプロセッサ３８０の構成ピンの電圧はプルアップされる。第一のプロセッサ３７０が、第二のプロセッサの構成ピンのレベルが高レベルであることを検出した場合、それは、第二のプロセッサ３８０が準備完了であることを示す。
【０１１７】
ステップ９１０では、第一のプロセッサ３７０は、第二のプロセッサ３８０から電子デバイス３００の歩数情報を取得する。
【０１１８】
第二のプロセッサ３８０は、以下の動作を実行する。図１０を参照するに、ステップ１００２では、第二のプロセッサ３８０は、第一のプロセッサ３７０が省電力モードにはいるという通知メッセージを受信する。第一の事前設定イベントを検出した後、第一のプロセッサ３７０は、第二のプロセッサ３８０に、電子デバイス３００が省電力モードにはいろうとしていることを通知する。第一の事前設定イベントは、電子デバイス３００に電力を供給するバッテリー内の電気量がバッテリー電気量閾値に達すること、電子デバイス３００の温度が指定された温度閾値に達すること；および電子デバイス３００が、省電力モードを有効にするためにユーザーによって入力された設定命令を受信することのうちの少なくとも一つを含む。
【０１１９】
ステップ１００４において、第二のプロセッサ３８０は何らかの準備を行ない、たとえば、第一のプロセッサ３７０を入力ユニット３２０（電源ボタンなど）から切り離し、入力ユニット３２０を制御するために第一のプロセッサ３７０に取って代わる。入力ユニット３２０を制御する準備をした後、第二のプロセッサは、第一のプロセッサ３７０に、第二のプロセッサの準備が整ったことを通知する。
【０１２０】
ステップ１００６では、第二のプロセッサ３８０は、第一のプロセッサ３７０の電源がオフにされていることを検出し、第二のプロセッサ３８０は、表示ユニット３１０およびブルートゥース・ユニット３４０を初期化し（ステップ１００８）、その後、電子デバイス３００は省電力モードにはいる。具体的には、第二のプロセッサ３８０は、構成ピン上の電圧がプルアップまたはプルダウンされることを検出することによって、第一のプロセッサが電源オフされているかどうかを決定することができる。省電力モードでは、第一のプロセッサ３７０が電源をオフにされた後、電子デバイス３００のいくつかの必要な機能（歩数カウント機能およびクロック機能など）を維持するために、第一のプロセッサ３７０のローカル・バスに付随する周辺ハードウェアは、第二のプロセッサ３８０を使って制御されることができる。省電力モードにおける第二のプロセッサ３８０は、ブルートゥース・ユニット３４０と通信してブルートゥース通信データを処理すること；入力ユニット３２０を使って電源投入動作、電源オフ動作、スクリーン点灯動作、および電子デバイス３００の再始動動作を制御すること；およびシリアル周辺インターフェース（SPI）を使って表示ユニット３１０を制御すること、のうちの少なくとも一つを実行するよう構成される。たとえば、省電力モードの電子デバイス３００は、ブルートゥース・ユニット３４０を使って、他の電子装置（たとえば携帯電話またはタブレットコンピュータ）によって送信された電話呼またはメッセージのようなイベントを受信し、ユーザーにイベントを受信するよう指示する通知サービスを提供することができる。省電力モードの電子デバイス３００は、無線通信ユニット３３０を使って、ローカルエリアネットワーク通信、音声、データ通信、および携帯電話通信をサポートすることができず、また、全地球測位システム（GPS）・ユニットを使って、電子デバイス３００の地理的位置情報を得ることもできない。
【０１２１】
ステップ１０１０では、第二のプロセッサ３８０が第一のプロセッサ３７０の電源オンされることを検出すると、電子デバイス３００は再始動動作を実行し、電子デバイス３００はアクティブ・モードに切り換えられる。具体的には、電子デバイス３００のバッテリーが電力アダプターを使って充電されるとき、第一のプロセッサ３７０は電源をオンにされ、第一のプロセッサ３７０は、電源オン・イベントを第二のプロセッサ３８０に報告する。ステップ１０１２では、第二のプロセッサ３８０は、記憶ユニット３６０内にあり、第二のプロセッサ３８０によって制御される追加的な記憶領域に動きデータ（歩数情報など）を記憶し、第二のプロセッサ３８０は表示ユニット３１０を無効にする。次いで、ステップ１０１４では、第二のプロセッサはリセットされ、初期化を実行する。具体的には、第二のプロセッサ３８０は、第一のプロセッサ３７０からのリセット信号を検出した後に初期化を実行する。第一のプロセッサ３７０は、第二のプロセッサ３８０から、省電力モードにおける電子デバイス３００の歩数情報を取得する。
【０１２２】
本願の実施形態を実行するよう構成されたプロセッサは、汎用プロセッサ、デジタル信号プロセッサ（DSP）、特定用途向け集積回路（ASIC）、フィールドプログラマブルゲートアレイ（FPGA）、または他のプログラマブル論理デバイス、トランジスタ論理デバイス、ハードウェア・コンポーネント、またはそれらの任意の組み合わせであってもよい。プロセッサは、本願に開示された内容を参照して記載された論理ブロック、モジュール、および回路のさまざまな例を実装または実行することができる。あるいはまた、プロセッサは、計算機能を実装するためのプロセッサの組み合わせ、たとえば、一つまたは複数のマイクロプロセッサを含む組み合わせまたはDSPとマイクロプロセッサの組み合わせであってもよい。
【０１２３】
本願に開示された内容と組み合わせて記載された方法またはアルゴリズムのステップは、ハードウェアによって実装されてもよく、またはソフトウェア命令を実行することによってプロセッサによって実装されてもよい。ソフトウェア命令は、対応するソフトウェア・モジュールによって形成されてもよい。ソフトウェア・モジュールは、RAMメモリ、フラッシュメモリ、ROMメモリ、EPROMメモリ、EEPROMメモリ、レジスタ、ハードディスク、リムーバブル磁気ディスク、CD-ROM、または当該技術分野で既知の他の任意の形の記憶媒体に記憶されてもよい。たとえば、記憶媒体は、プロセッサが記憶媒体から情報を読み出し、記憶媒体に情報を書き込むことができるように、プロセッサに結合される。もちろん、記憶媒体は、プロセッサのコンポーネントであってもよい。プロセッサおよび記憶媒体は、ASIC内に位置されてもよい。加えて、ASICは、ユーザー装置内に位置されてもよい。もちろん、プロセッサおよび記憶媒体は、離散的なコンポーネントとしてユーザー装置内に存在してもよい。
【０１２４】
当業者は、前述の一つまたは複数の例において、本願に記載される機能がハードウェア、ソフトウェア、ファームウェア、またはそれらの任意の組み合わせによって実装されうることを認識するはずである。当業者は、本明細書に開示された実施形態に記載された例と組み合わせて、ユニット、アルゴリズム・ステップがハードウェアまたはハードウェアとコンピュータ・ソフトウェアの組み合わせによって実装されうることを容易に認識するはずである。機能がハードウェアによって実行されるのか、それともコンピュータ・ソフトウェアによって駆動されるハードウェアによって実行されるのかは、特定の用途および技術的解決策の設計上の制約に依存する。当業者は、特定の用途ごとに、記載された機能を実装するために異なる方法を用いることができるが、その実装が本願の範囲を超えるものであると考えるべきではない。本発明がソフトウェアによって実装されるとき、前述の機能は、コンピュータ読取可能媒体に記憶されるか、またはコンピュータ読取可能媒体内の一つまたは複数の命令またはコードとして伝送されてもよい。コンピュータ読取可能媒体は、コンピュータ記憶媒体および通信媒体を含む。通信媒体は、コンピュータ・プログラムをある場所から別の場所へ送信することを可能にする任意の媒体を含む。記憶媒体は、汎用コンピュータまたは専用のコンピュータにとってアクセス可能な任意の利用可能な媒体でありうる。
【０１２５】
本願の目的、技術的解決策、および有益な効果は、前述の具体的実施形態においてさらに詳細に記載されている。前述の説明は、単に本願の具体的な実施形態であり、本願の保護範囲を制限することは意図されていないことは理解しておくべきである。本願の技術的解決策に基づいてなされた修正、等価な置換または改良は、本願の保護範囲内にはいる。
【図１】
0006964687.tif 000002
【図２】
0006964687.tif 000003
【図３】
0006964687.tif 000004
【図４】
0006964687.tif 000005
【図５】
0006964687.tif 000006
【図６】
0006964687.tif 000007
【図７】
0006964687.tif 000008
【図８】
0006964687.tif 000009
【図９】
0006964687.tif 000010
【図１０】
0006964687.tif 000011